(57)【要約】【課題】ベースとの固定がより強固な第２アームを備える扉閉鎖順位調整器を得る。【解決手段】この扉閉鎖順位調整器１００は、上枠に固定設置されるベース２１と、ベース２１が有する軸体２３に対して回動自在に設置されるアーム３１と、ベース２１に傾動自在に固定設置される第２アーム４１と、を備え、２枚扉が開いた状態のときにアーム３１が突出状態となることによって２枚扉の閉鎖順位を調整するものであって、第２アーム４１は、ベース２１に固定される固定部４３と、アーム３１と接続する接続部４５と、固定部４３と接続部４５との間に２つ設けられるヒンジ部４７，４７と、を備える。【選択図】図１
2019035201.tif 000002
【特許請求の範囲】
【請求項１】
上枠に固定設置されるベースと、
前記ベースが有する軸体に対して回動自在に設置されるアームと、
前記ベースに傾動自在に固定設置される第２アームと、
を備え、２枚扉が開いた状態のときに前記アームが突出状態となることによって２枚扉の閉鎖順位を調整する扉閉鎖順位調整器であって、
前記第２アームは、
前記ベースに固定される固定部と、
前記アームと接続する接続部と、
前記固定部と前記接続部との間に２つ設けられるヒンジ部と、
を備えることを特徴とする扉閉鎖順位調整器。
【請求項２】
請求項１に記載の扉閉鎖順位調整器において、
前記固定部は、
前記第２アームを前記ベースに固定するための固定ピンと、
前記固定ピンを挿入する挿入孔と、
前記挿入孔の近傍に形成される爪部と、
を備えることを特徴とする扉閉鎖順位調整器。
【請求項３】
請求項２に記載の扉閉鎖順位調整器において、
前記固定ピンは、
外径が大きい大径部と、
前記大径部に形成される溝部と、
前記大径部よりも径が小さい小径部と、
を備え、
前記ベースは、前記第２アームを固定するための第２アーム固定孔を備え、
前記固定ピンが前記挿入孔に挿入されて前記爪部の先端が前記固定ピンの前記小径部近傍に配置された前記第２アームの前記固定部を前記第２アーム固定孔に挿入し、
前記固定ピンを前記第２アーム固定孔に押し込むことにより、前記爪部が前記大径部により押圧されて外側に撓んで前記第２アーム固定孔の縁に引っ掛かるとともに、前記爪部の前記先端が前記溝部に嵌合することで前記第２アームの前記ベースへの固定が実行されることを特徴とする扉閉鎖順位調整器。
【発明の詳細な説明】
【技術分野】
【０００１】
本発明は、２枚扉の閉鎖順位を調整するために用いられる扉閉鎖順位調整器に関するものである。
【背景技術】
【０００２】
従来から、２枚１組の開閉扉を順序良く閉鎖する装置として扉閉鎖順位調整器が知られている。例えば、下記特許文献１には、上枠に固定設置されるベースと、ベースが有する軸体に対して回動自在に設置されるアームと、ベースに傾動自在に固定設置される第２アームと、を備え、２枚扉が開いた状態のときにアームが突出状態となることによって２枚扉の閉鎖順位を調整する扉閉鎖順位調整器が開示されている。
【先行技術文献】
【特許文献】
【０００３】
【特許文献１】特許第４７７４２８３号公報
【発明の概要】
【発明が解決しようとする課題】
【０００４】
しかしながら、上掲の特許文献１に記載の扉閉鎖順位調整器は、２枚扉が閉鎖位置よりも押し込まれた場合、扉閉鎖順位調整器の取付位置によっては、後に閉じられる後閉扉の押圧力により第２アームに負荷が掛かって第２アームのベースへの固定が解除されてしまう可能性があるという課題があった。
【０００５】
本発明は、上述した課題の存在に鑑みて成されたものであって、その目的は、ベースとの固定がより強固な第２アームを備える扉閉鎖順位調整器を提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係る扉閉鎖順位調整器（１００）は、上枠に固定設置されるベース（２１）と、前記ベース（２１）が有する軸体（２３）に対して回動自在に設置されるアーム（３１）と、前記ベース（２１）に傾動自在に固定設置される第２アーム（４１）と、を備え、２枚扉が開いた状態のときに前記アーム（３１）が突出状態となることによって２枚扉の閉鎖順位を調整するものであって、前記第２アーム（４１）は、前記ベース（２１）に固定される固定部（４３）と、前記アーム（３１）と接続する接続部（４５）と、前記固定部（４３）と前記接続部（４５）との間に２つ設けられるヒンジ部（４７，４７）と、を備えることを特徴とする。
【０００８】
また、本発明に係る扉閉鎖順位調整器（１００）は、前記固定部（４３）が、前記第２アーム（４１）を前記ベース（２１）に固定するための固定ピン（６１）と、前記固定ピン（６１）を挿入する挿入孔（４９）と、前記挿入孔（４９）の近傍に形成される爪部（５１）と、を備えることとすることができる。
【０００９】
さらに、本発明に係る扉閉鎖順位調整器（１００）は、前記固定ピン（６１）が、外径が大きい大径部（６３）と、前記大径部（６３）に形成される溝部（６５）と、前記大径部（６３）よりも径が小さい小径部（６７）と、を備え、前記ベース（２１）は、前記第２アーム（４１）を固定するための第２アーム固定孔（２５）を備え、前記固定ピン（６１）が前記挿入孔（４９）に挿入されて前記爪部（５１）の先端（５１ａ）が前記固定ピン（６１）の前記小径部（６７）近傍に配置された前記第２アーム（４１）の前記固定部（４３）を前記第２アーム固定孔（２５）に挿入し、前記固定ピン（６１）を前記第２アーム固定孔（２５）に押し込むことにより、前記爪部（５１）が前記大径部（６３）により押圧されて外側に撓んで前記第２アーム固定孔（２５）の縁に引っ掛かるとともに、前記爪部（５１）の前記先端（５１ａ）が前記溝部（６５）に嵌合することで前記第２アーム（４１）の前記ベース（２１）への固定が実行されることとすることができる。
【発明の効果】
【００１０】
本発明によれば、ベースとの固定がより強固な第２アームを備える扉閉鎖順位調整器を提供することができる。
【図面の簡単な説明】
【００１１】
【図１】本実施形態に係る扉閉鎖順位調整器の構成例を示す外観上面図である。
【図２】本実施形態に係る第２アームの構成例を示す図であり、図中の分図（ａ）は、本実施形態に係る第２アームの上面図であり、図中の分図（ｂ）は、本実施形態に係る第２アームの正面図であり、図中の分図（ｃ）は、本実施形態に係る第２アームの背面図であり、図中の分図（ｄ）は、本実施形態に係る第２アームの側面図であり、図中の分図（ｅ）は、図中の分図（ｃ）に示されるＸ−Ｘ断面図である。
【図３】本実施形態に係る固定ピンの構成例を示す外観図である。
【図４】本実施形態に係る第２アームのベースへの固定方法を説明するための図であり、図中の分図（ａ）は、固定ピンが挿入孔に挿入された第２アームを示す図であり、図中の分図（ｂ）は、第２アームの固定部を第２アーム固定孔に挿入した状態を示す部分拡大図であり、図中の分図（ｃ）は、固定ピンを押し込み第２アームのベースへの固定が実行された状態を示す部分拡大図である。
【図５】本実施形態に係る扉閉鎖順位調整器の動作を説明するための図であり、図中の分図（ａ）は、２枚扉が開いた状態の扉閉鎖順位調整器を示す外観上面図であり、図中の分図（ｂ）は、２枚扉が閉じた状態の扉閉鎖順位調整器を示す外観上面図である。
【図６】２枚扉が閉鎖位置よりも押し込まれた際の本実施形態に係る扉閉鎖順位調整器を示す図である。
【発明を実施するための形態】
【００１２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１３】
まず、本実施形態に係る扉閉鎖順位調整器１００の構成例について、図１ないし図４を用いて説明する。ここで、図１は、本実施形態に係る扉閉鎖順位調整器の構成例を示す外観上面図である。また、図２は、本実施形態に係る第２アームの構成例を示す図であり、図２中の分図（ａ）は、本実施形態に係る第２アームの上面図であり、図２中の分図（ｂ）は、本実施形態に係る第２アームの正面図であり、図２中の分図（ｃ）は、本実施形態に係る第２アームの背面図であり、図２中の分図（ｄ）は、本実施形態に係る第２アームの側面図であり、図２中の分図（ｅ）は、図２中の分図（ｃ）に示されるＸ−Ｘ断面図である。さらに、図３は、本実施形態に係る固定ピンの構成例を示す外観図である。また、図４は、本実施形態に係る第２アームのベースへの固定方法を説明するための図であり、図４中の分図（ａ）は、固定ピンが挿入孔に挿入された第２アームを示す図であり、図４中の分図（ｂ）は、第２アームの固定部を第２アーム固定孔に挿入した状態を示す部分拡大図であり、図４中の分図（ｃ）は、固定ピンを押し込み第２アームのベースへの固定が実行された状態を示す部分拡大図である。
【００１４】
図１に示すように、本実施形態に係る扉閉鎖順位調整器１００は、上枠に固定設置されるベース２１と、ベース２１が有する軸体２３に対して回動自在に設置されるアーム３１と、ベース２１に傾動自在に固定設置される第２アーム４１と、を備え、２枚扉（先に閉じられる先閉扉１１および後に閉じられる後閉扉１３）が開いた状態のときにアーム３１が突出状態となることによって２枚扉の閉鎖順位を調整するように構成される。
【００１５】
ベース２１は、上枠に固定設置されることによって本実施形態に係る扉閉鎖順位調整器１００の設置基準となる部材である。ベース２１は、その胴体部中に複数の取付用孔（不図示）を備えており、これら取付用孔を利用して上枠への確実な固定が実現する。また、ベース２１は、上枠への固定設置時に軸線方向が鉛直方向に延びるように形成される軸体２３を有している。この軸体２３は、後述するアーム３１を回動自在に接続することによってアーム３１の回動動作における回動中心軸としての役割を担う。さらに、ベース２１は、後述する第２アーム４１を固定するための第２アーム固定孔２５を備える（図４参照）。
【００１６】
アーム３１は、上枠側から扉の開く方向に突出して後閉扉１３を支える部材であるため、縦断面が矩形状に形成された構造材として構成されている。このアーム３１は、ベース２１と軸体２３を介して回動自在に設置されているが、ベース２１とアーム３１との間には、上枠側から扉の開く方向にアーム３１が突出するように、アーム３１に対して常に付勢力を及ぼす弾性体としてのコイルバネ（不図示）が設置されている。また、アーム３１の先端側には、ローラ３３が回動自在に設けられており、後閉扉１３とのスムーズな摺動接触が実現できるようになっている。さらに、アーム３１の上面には、後述する第２アーム４１の凸部５５と係合する凹部３５が形成されている。なお、この凹部３５については、アーム３１に対して溝として構成されてもよいし、貫通した孔として構成されてもよい。
【００１７】
第２アーム４１は、本実施形態に係る扉閉鎖順位調整器１００を構成する最も特徴的な部材である。その構成素材には、樹脂やゴムなどの可撓性材料が採用されている。第２アーム４１は、２枚扉が閉じた状態では略一直線となるように形成される。一方、２枚扉が開いて突出状態となったアーム３１と接触しているときには、２つのヒンジ部４７，４７のいずれか一方側で折れた状態となり、この状態では第２アーム４１の初期状態である略一直線の状態を回復しようとすることになるので、アーム３１の方向に対して付勢力を及ぼしている。
【００１８】
図２に示すように、第２アーム４１は、ベース２１に固定される固定部４３と、アーム３１と接続する接続部４５と、固定部４３と接続部４５との間に２つ設けられるヒンジ部４７，４７と、を備える。
【００１９】
図１および図２に示すように、固定部４３は、第２アーム４１をベース２１に固定するための固定ピン６１と、固定ピン６１を挿入する挿入孔４９と、挿入孔４９の近傍に形成される爪部５１と、を備えて構成される。
【００２０】
固定ピン６１は、樹脂材料で構成されており、図３に示すように、固定ピン６１は、外径が大きい大径部６３と、大径部６３に形成される溝部６５と、大径部６３よりも径が小さい小径部６７と、を備える。
【００２１】
爪部５１は、例えば樹脂やゴムなどの可撓性を有する材料で構成されている。本実施形態では、図２に示すように、爪部５１が４つ形成されており、挿入孔４９の近傍に等間隔に配置されているが、その数および配置は適宜変更可能である。
【００２２】
第２アーム４１をベース２１に固定するためには、図４中の分図（ａ）に示すように、固定ピン６１が挿入孔４９に挿入されて爪部５１の先端５１ａが固定ピン６１の小径部６７近傍に配置された第２アーム４１の固定部４３を第２アーム固定孔２５に挿入して図４中の分図（ｂ）に示される状態とする。そして、固定ピン６１を第２アーム固定孔２５に押し込むことにより、図４中の分図（ｃ）に示すように、爪部５１が大径部６３により押圧されて外側に撓んで第２アーム固定孔２５の縁に引っ掛かるとともに、爪部５１の先端５１ａが溝部６５に嵌合することで第２アーム４１のベース２１への固定が実行される。第２アーム４１を固定ピン６１を用いてベース２１に固定することで、本実施形態に係る扉閉鎖順位調整器１００は、固定ピン６１を引き抜かない限り第２アーム４１が外れることがなく、従来技術よりも第２アーム４１のベース２１への強固な固定を実現することができるようになっている。なお、第２アーム４１をベース２１から取り外す際は、固定ピン６１を引き抜いて図４中の分図（ｂ）に示される状態にした後、ベース２１から第２アーム４１を取り外すことになる。
【００２３】
図２に示すように、接続部４５は、アーム３１を挟み込む鍔部５３と、アーム３１に形成される凹部３５と係合する凸部５５と、を備えて構成される。
【００２４】
鍔部５３は、アーム３１の先端に形成され、アーム３１を掴んで挟み込めるように構成される。凸部５５は、アーム３１に形成される凹部３５と係合するように構成される。本実施形態に係る第２アーム４１は、初期状態を回復しようとする付勢力と鍔部５３および凸部５５によって常にアーム３１との接触状態を維持することができるようになっている。
【００２５】
ヒンジ部４７は、第２アーム４１を薄肉化することにより当該部分から折り曲げ可能とするものである。本実施形態に係るヒンジ部４７は、図２に示すように、第２アーム４１の正面側または背面側に略三角形状の切欠きを１つ形成することで第２アーム４１を薄肉化し、ヒンジ部４７を中心に第２アーム４１が折り曲げ可能な構成となっている。しかし、ヒンジ部４７の形成方法はこれに限定されず、当該部分から折り曲げ可能となればよく、例えば、正面側および背面側に略三角形状の切欠きを形成してヒンジ部を形成することとしてもよい。
【００２６】
本実施形態に係る第２アーム４１は、ヒンジ部４７を２つ備えて構成される。このような構成により、２枚扉が閉鎖位置よりも押し込まれた場合であっても、ヒンジ部４７が折れ曲がることで後閉扉１３からの押圧力を逃がして当該押圧力が第２アーム４１の固定部４３に及ばないようになっており、第２アーム４１の固定部４３に負荷が掛からず、第２アーム４１のベース２１への固定が解除されてしまうことがない。したがって、本実施形態によれば、ベース２１との固定がより強固な第２アーム４１を備える扉閉鎖順位調整器１００を提供することが可能となっている。
【００２７】
以上、本実施形態係る扉閉鎖順位調整器１００の構成例について説明した。次に、本実施形態に係る扉閉鎖順位調整器１００の動作例について、図５および図６を用いて説明する。ここで、図５は、本実施形態に係る扉閉鎖順位調整器の動作を説明するための図であり、図５中の分図（ａ）は、２枚扉が開いた状態の扉閉鎖順位調整器を示す外観上面図であり、図５中の分図（ｂ）は、２枚扉が閉じた状態の扉閉鎖順位調整器を示す外観上面図である。また、図６は、２枚扉が閉鎖位置よりも押し込まれた際の本実施形態に係る扉閉鎖順位調整器を示す図である。
【００２８】
２枚の扉が開いた初期の状態において、アーム３１は、後閉扉１３を当接支持することによって、後閉扉１３が先閉扉１１よりも先に閉まっていくことを防いでいる。すなわち、本実施形態に係る扉閉鎖順位調整器１００では、先閉扉１１が閉鎖する前に後閉扉１３が閉鎖しないように、突出状態にあるアーム３１がローラ３３を介して後閉扉１３と当接することにより、後閉扉１３を先閉扉１１の動作範囲（符号αで示される二点鎖線の円弧の内側）から退避させている。そして、先閉扉１１が符号αで示される二点鎖線の軌跡を描いて回動すると、アーム３１と先閉扉１１との間には第２アーム４１が設置されているので、アーム３１は第２アーム４１を介した先閉扉１１による押圧を受けることになる。２枚扉が開いて突出状態となったアーム３１と接触しているとき、第２アーム４１は、ヒンジ部４７を中心に扉の開く方向に折れ曲がっているが、初期状態である略一直線の状態を回復しようとすることになるので、アーム３１の方向に対して付勢力を及ぼしている。
【００２９】
先閉扉１１が回動して第２アーム４１への押圧が進むと、第２アーム４１の鍔部５３がアーム３１の側面を押圧摺動するとともに、第２アーム４１の凸部５５がアーム３１の凹部３５と係合しながら摺動することによって先閉扉１１が閉まって行くことになる。このときも、第２アーム４１が樹脂やゴムなどの可撓性材料で構成されている関係上、アーム３１への影響を最小限に抑えることができるとともに騒音の発生も防止できる。さらに、第２アーム４１は先閉扉１１との接触面がなだらかな形状に形成されているので、スムーズで静かな閉鎖動作が実現される。
【００３０】
一方、アーム３１は、先閉扉１１による第２アーム４１の押圧動作と同時に後閉扉１３の内側を摺動することになるので、アーム３１は閉鎖方向へと回動することになる。すなわち、先閉扉１１がアーム３１を押圧して不図示の弾性体の付勢力に抗してアーム３１を上枠側に回動させるので、先閉扉１１の動作範囲（符号αで示される二点鎖線の円弧の内側）内への後閉扉１３の侵入が許容されることになる。そして、後閉扉１３は摺動するアーム３１の規制を受けながら徐々に閉まって行き、最終的に２枚扉の閉鎖が完了すると、本実施形態に係る扉閉鎖順位調整器１００は、図５中の分図（ｂ）に示すように、アーム３１が先閉扉１１の扉面と略平行に保持される状態になる。
【００３１】
なお、図５中の分図（ｂ）に示される扉閉鎖順位調整器１００において、その取付位置は、２枚扉の閉じ合わせ面の延長線（符号βで示される一点鎖線）上に第２アーム４１の接続部４５およびアーム３１が配置される場合が例示されている。しかしながら、本実施形態に係る第２アーム４１は、ある程度の長さを持った形状を有しているので、左右方向（図５における紙面左右方向）での取付位置の誤差も余裕を持って吸収することができ、扉の型式によって取付位置の制約を受けることがない。
【００３２】
また、図５中の分図（ｂ）に示される扉閉鎖順位調整器１００において、２枚扉がさらに押し込まれたとき、従来技術では、扉閉鎖順位調整器の取付位置によっては、後閉扉１３の押圧力により第２アームに負荷が掛かって第２アームのベースへの固定が解除されてしまう可能性があった。しかしながら、本実施形態に係る第２アーム４１は、２つのヒンジ部４７，４７を有して構成されているので、２枚扉がさらに押し込まれたとき、図６に示すように、２つのヒンジ部４７，４７が略Ｓ字形に折れ曲がることで後閉扉１３の押圧力を逃がすことができ、第２アーム４１の固定部４３に負荷が掛からず、第２アーム４１のベース２１への固定が解除されてしまうことがない。したがって、したがって、本実施形態によれば、ベース２１との固定がより強固な第２アーム４１を備える扉閉鎖順位調整器１００を提供することが可能となっている。
【００３３】
以上、本発明の好適な実施形態について説明したが、本発明の技術的範囲は上記実施形態に記載の範囲には限定されない。上記実施形態には、多様な変更又は改良を加えることが可能である。
【００３４】
例えば、第２アーム４１の形状は図示する形態に限られるものではなく、同一の作用効果を発揮できる範囲での変形が可能である。
【００３５】
その様な変更又は改良を加えた形態も本発明の技術的範囲に含まれ得ることが、特許請求の範囲の記載から明らかである。
【符号の説明】
【００３６】
１００  扉閉鎖順位調整器、１１  先閉扉、１３  後閉扉、２１  ベース、２３  軸体、２５  第２アーム固定孔、３１  アーム、３３  ローラ、３５  凹部、４１  第２アーム、４３  固定部、４５  接続部、４７  ヒンジ部、４９  挿入孔、５１爪部、５１ａ  （爪部の）先端、５３  鍔部、５５  凸部、６１  固定ピン、６３  大径部、６５  溝部、６７  小径部
【図１】
2019035201.tif 000003
【図２】
2019035201.tif 000004
【図３】
2019035201.tif 000005
【図４】
2019035201.tif 000006
【図５】
2019035201.tif 000007
【図６】
2019035201.tif 000008